(57)【要約】      （修正有）【課題】より安全性の高いコーキング除去方法ないしコーキング除去剤の開発。【解決手段】アルコールを主成分とするコーキング除去剤。一つの態様として，アルコールとしてエタノールを好適に用いるものであり，その他，水，グリセリン，防腐剤を添加物として含むものであるコーキング除去剤。好ましくは１５〜７０％（ｖ／ｖ）のアルコール含有率である，アルコールを主成分とするコーキング除去剤であり，極めて安全性が高く，取扱も容易なものであるコーキング除去剤。【選択図】図３
2018065936.tif 000002
【特許請求の範囲】
【請求項１】
アルコールを主成分とすることを特徴とするコーキング除去剤
【請求項２】
前記アルコールが，単価アルコールならびに多価アルコールからなることを特徴とする請求項１に記載のコーキング除去剤
【請求項３】
前記単価アルコールが，エタノール，イソプロピルアルコールのいずれか又は複数から選択されることを特徴とする請求項２に記載のコーキング除去剤
【請求項４】
前記多価アルコールが，グリセリン，ブチレングリコール，プロピレングリコール，ソルビトールのいずれか又は複数から選択されることを特徴とする請求項２又は３に記載のコーキング除去剤
【請求項５】
アルコール含有率が，15から70％（v/v）であることを特徴とする請求項１から４に記載のコーキング除去剤
【請求項６】
添加物として，水，防腐剤のいずれか又は複数を含むことを特徴とする請求項１から５に記載のコーキング除去剤
【発明の詳細な説明】
【技術分野】
【０００１】
本発明は，コーキング除去剤に関する。
【背景技術】
【０００２】
コーキングとは，構造物などにおいて，気密性や防水性を高めるために，施工される隙間を，パテなどの材料で充填することをいい，これに用いられる充填剤を，コーキング剤という。コーキング剤は，一定の粘性を有するものであり，これをヘラなどにより隙間を埋め，ならした後，乾燥させることにより用いられる。
【０００３】
コーキング剤を用いる際，コーキング剤が，余計な部分にまで広がったり，落としたりするなどして，不要なコーキング剤を処理しなければならない場合がある。このような場合，ヘラなどでかきとったり，乾燥させてからカッターなどで切り取ったりなどして，除去を行うのが通常である。
しかるに，このような物理的な処理を行うと，きれいに除去できなかったり，広がった部分の構造物に傷をつけたりして，きれいに処理することができない場合がある。また，一見，きれいに処理できていても，見えなくなっているだけのことがあり，乾燥すると除去できていないコーキング剤が現れることもある。
このような従来の物理的処理に対し，化学的にコーキング剤を処理しうる技術が開示されている（非特許文献１）。
【先行技術文献】
【非特許文献】
【０００４】
【非特許文献１】株式会社ドーイチ，製品名ディゾルビット（URL：http://www.doichi.com/newcontents/dsi.html）
【発明の開示】
【発明が解決しようとする課題】
【０００５】
先行技術に記載の技術は，天然オレンジオイルを主成分とする汚れ剥がし材であり，これをコーキング除去の用途で用いる場合がある。
しかるに先行技術は，コーキングに特化したものではなく，また，皮膚についた場合などは，皮膚の脂分もとってしまうため，取扱に注意を要するものである。
【０００６】
コーキング自体，もともとプロが行うものであったが，近年，DIYの広がりなどもあり，専門的な技術や知識を持たない人もコーキングを行うようになった。このことから，より安全性が高く，簡単にできる，コーキング除去方法ないしコーキング除去剤が求められている。
【０００７】
上記事情を背景として，本発明では，より安全性の高いコーキング除去方法ないしコーキング除去剤の開発を課題とする。
【課題を解決するための手段】
【０００８】
発明者は，鋭意研究の結果，アルコールを主成分とする安全性の高いコーキング剤に着想し，コーキング除去剤にかかる発明を完成させたものである。
本発明は，以下の構成からなる。
本発明の第一の構成は，アルコールを主成分とすることを特徴とするコーキング除去剤である。
【０００９】
本発明の第二の構成は，前記アルコールが，単価アルコールならびに多価アルコールからなることを特徴とする第一の構成に記載のコーキング除去剤である。
本発明の第三の構成は，前記単価アルコールが，エタノール，イソプロピルアルコールのいずれか又は複数から選択されることを特徴とする第二の構成に記載のコーキング除去剤である。
本発明の第四の構成は，前記多価アルコールが，グリセリン，ブチレングリコール，プロピレングリコール，ソルビトールのいずれか又は複数から選択されることを特徴とする第二又は第三の構成に記載のコーキング除去剤である。
【００１０】
本発明の第五の構成は，アルコール含有率が，15から70％（v/v）であることを特徴とする第一から第四の構成に記載のコーキング除去剤である。
本発明の第六の構成は，添加物として，水，防腐剤のいずれか又は複数を含むことを特徴とする第一から第五の構成に記載のコーキング除去剤である。
【発明の効果】
【００１１】
本発明により，より安全性の高いコーキング除去剤の提供が可能となった。すなわち，本発明のコーキング除去剤によれば，アルコールを主成分とするコーキング除去剤であり，極めて安全性が高く，取扱も容易なものである。
【図面の簡単な説明】
【００１２】
【図１】本発明のコーキング除去剤の外観の様子を示した図
【図２】本発明のコーキング除去剤の典型的な使用方法を説明した図
【図３】木製フロアリングにおいて，コーキング除去剤の使用の様子を示した図
【図４】金属製はしごにおいて，コーキング除去剤の使用の様子を示した図
【図５】プラスチック製の浴室壁面において，コーキング除去剤の使用の様子を示した図
【発明を実施するための形態】
【００１３】
本発明のコーキング除去剤について説明を行う。
【００１４】
本発明のコーキング除去剤は，アルコールを主成分とする。このようなアルコールとして，単価アルコール，ならびに多価アルコールをそれぞれ含むものである。
【００１５】
単価アルコールは，コーキング除去の主たる役割を果たす。単価アルコールとしては，かかる役割を果たす限り特に限定する必要はなく，種々の単価アルコールを選択することができる。
単価アルコールは，エタノール，イソプロピルアルコールのいずれか又は複数から選択されることが好ましい。これにより，十分なコーキング除去効果を発揮するとともに，安全性を高めることが可能となり，本発明のコーキング除去剤の性能ならびに汎用性を向上させる効果を有する。
【００１６】
多価アルコールは，コーキング除去剤に一定の粘性を与え，コーキング剤との接触を保持し，コーキング除去効果を高める役割を果たす。多価アルコールは，かかる役割を果たす限り特に限定する必要はなく，種々の多価アルコールを選択することができる。
多価アルコールは，グリセリン，ブチレングリコール，プロピレングリコール，ソルビトールのいずれか又は複数から選択されることが好ましい。これにより，コーキング剤との十分な接触効果ならびにコーキング除去効果を発揮するとともに，安全性を高めることが可能となり，本発明のコーキング除去剤の性能ならびに汎用性を向上させる効果を有する。
【００１７】
本発明のコーキング除去剤において，アルコール含有率は，適宜，調整することができるが，典型的には，15から70％（v/v）とすればよい。また，この場合の単価アルコールと多価アルコールの含有比率については，使用対象ないし使用場面を想定して適宜調整することができるが，典型的には，それぞれを同じ比率とすればよい。
【００１８】
本発明のコーキング除去剤は，コーキング除去効果や安全性に影響を及ぼさない限り特に限定する必要はなく，種々の添加物を用いることができる。このような添加物として，典型的には，水や防腐剤などを用いることができる。
【実施例】
【００１９】
以下，実施例を用いて，本発明のコーキング除去剤について説明を行うが，当然のことながら，本発明におけるコーキング除去剤を下記の内容に限定して解釈すべきことは言うまでもない。
【００２０】
＜＜I．コーキング除去剤＞＞
１．下記組成でコーキング除去剤を作製した。
(1)  エタノール  25%
(2)  水  30%
(3)  グリセリン  25%
２．コーキング除去剤の外観を図１に示す。コーキング除去剤は，無色透明であり，粘性を有する液体であった。以下，このコーキング除去剤を，実施例として詳述する。
【００２１】
＜＜II．コーキング除去剤の使用例＞＞
１．図２は，実施例における典型的な仕様態様である。
(1)  コーキング除去剤を，綿や紙などに噴霧する。ここでは，綿を用いて，コーキング除去剤を噴霧している様子を示している（図２a）。
(2)  噴霧したものでふき取る。ここでは，コーキング剤が粘着したヘラをふき取っている様子を示している（図２b）。
(3)  ふき取ったところ，ヘラにはコーキング剤は残っておらず，きれいにふき取れていることが分かった。
【００２２】
２．図３は，コーキング除去を床にたらして，ふき取った様子を示している。
(1)  床に白いコーキング除去剤を垂らし，これにコーキング除去剤を吹きかけふき取ったところ，床にコーキング剤は残っておらず，きれいな様子であった（図３dからf）。
(2)  同様に，黒いコーキング除去剤を垂らし，コーキング除去剤を吹きかけふき取ったところ，床にコーキング剤は残っておらず，きれいな様子であった（図３g，h）。
(3)  一方，床に白いコーキング剤を垂らし，コーキング除去剤を用いないでふき取ったところ，コーキング剤が床にこびりつき，きれいに取れなかった（図３i，j）。
【００２３】
３．図４は，金属製はしご部分での除去効果を検討した様子を示している。はしご部分に黒いコーキング剤を塗布し，コーキング除去剤を吹きかけ，紙などでふき取ったところ，コーキング剤は残っておらず，きれいな様子であった（図４k，l）。
【００２４】
４．図５は，プラスチック製の浴室壁面での除去効果を検討した様子を示している。壁面に黒いコーキング剤を塗布し，コーキング除去剤を吹きかけ，紙などでふき取ったところ，コーキング剤は残っておらず，きれいな様子であった（図４m，n）。
【００２５】
５．これらの結果より，木製，金属製，プラスチック製，いずれにおいても，実施例におけるコーキング除去剤により，きれいにコーキング除去ができるとともに，処理した後の色落ちや傷なども生じないことが確認された。
【図１】
2018065936.tif 000003
【図２】
2018065936.tif 000004
【図３】
2018065936.tif 000005
【図４】
2018065936.tif 000006
【図５】
2018065936.tif 000007